(57)【要約】【課題】  本発明は空気流偏向板ユニットに係り、排気効率の向上とファンユニットのファン性能の低下防止を図った空気流偏向板ユニットを提供することを目的とする。【解決手段】  前後２個のファンからなるユニットが横方向に複数列並んで配されたファンユニットの上方に重置され、ファンから吹き上げられた空気を背面側へ偏向させる偏向板が左右一対の側板間に前下がりに傾斜した状態で取り付き、前面に前面板が取り付いた空気流偏向板ユニットに於て、前記側板間に、第２の偏向板を前記偏向板から離間させて下方に取り付け、当該第２の偏向板と前記偏向板との間に、ファンユニットの前面側のファンの上部が空気流入口として開口する空気通路を設けると共に、前記第２の偏向板に、ルーバー穴をファンユニットの前面側のファンと背面側のファンとの間に設けたことを特徴とする。【選択図】    図３
2012129455.tif 000002
【特許請求の範囲】
【請求項１】
前後２個のファンからなるユニットが横方向に複数列並んで配されたファンユニットの上方に重置され、ファンから吹き上げられた空気を背面側へ偏向させる偏向板が左右一対の側板間に前下がりに傾斜した状態で取り付き、前面に前面板が取り付いた空気流偏向板ユニットに於て、
前記側板間に、第２の偏向板を前記偏向板から離間させて下方に取り付け、当該第２の偏向板と前記偏向板との間に、ファンユニットの前面側のファンの上部が空気流入口として開口する空気通路を設けると共に、
前記第２の偏向板に、ルーバー穴をファンユニットの前面側のファンと背面側のファンとの間に設けたことを特徴とする空気流偏向板ユニット。
【請求項２】
前記ルーバー穴は、ファンユニットの前面側のファン方向に開口していることを特徴とする請求項１に記載の空気流偏向板ユニット。
【請求項３】
前記ルーバー穴は、空気通路の下流方向に開口していることを特徴とする請求項１に記載の空気流偏向板ユニット。
【請求項４】
前記ルーバー穴は、前記ファンユニットの前面側のファン方向と、前記空気通路の下流方向とに開口していることを特徴とする請求項１に記載の空気流偏向板ユニット。
【請求項５】
前記第２の偏向板は、前記偏向板に沿って取り付けられていることを特徴とする請求項１に記載の空気流偏向板ユニット。
【請求項６】
前記前面板に、通風穴を設けたことを特徴とする請求項１に記載の空気流偏向板ユニット。
【請求項７】
前記通風穴は、前後２個のファンからなるユニット毎に設けられていることを特徴とする請求項６に記載の空気流偏向板ユニット。
【発明の詳細な説明】
【技術分野】
【０００１】
本発明は、強制冷却を必要とする電子ユニットと上面排気のファンユニットを多段に重置した際に使用する空気流偏向板ユニットに関する。
【背景技術】
【０００２】
特許文献１または図６に示すように、従来、強制冷却を必要とする複数の電子ユニット１と上面排気のファンユニット３を搭載したシェルフを多段に重置して電子機器装置５を構成するに当たり、ファンユニット３のファン７によって上方に吹き上げられた空気を電子機器装置５の背面側に偏向させる空気流偏向板ユニット９が使用されている。
【０００３】
図６に示すように空気流偏向板ユニット９は、左右一対の側板（図示せず）間に偏向板（傾斜板）１１が側面視で前下がりに傾斜した状態で取り付き、前面に前面板１３が取り付いた構造からなり、ファン７の回転によって下方の電子ユニット１内から吸い込まれて空気流偏向板ユニット９内に吹き上げられた空気が、偏向板１１によって電子機器装置５の背面側へ偏向されるようになっている。
【先行技術文献】
【特許文献】
【０００４】
【特許文献１】特開平６−３１４８９２号公報
【発明の概要】
【発明が解決しようとする課題】
【０００５】
しかし乍ら、図６に示すように空気流偏向板ユニット９は、偏向板１１が前下がりに傾斜した状態で配置された構造上、ファンユニット３の前面側のファン７（ファン吹出口７ａ）と偏向板１１との間のスペースＳ１が、背面側のファン７のスペースＳ２に比べて狭くなっている。
【０００６】
このため、前面側のファン７に対し、吹き上げられた空気流Ａ１に対する偏向板１１からの跳ね返りが多く、前面側のファン７の性能（風量）低下が起こってしまう虞があった。
【０００７】
また、図示するように、通常、ファンユニット３は前後２個のファン７が横方向に複数列並んで配された構造となっているが、従来、それぞれのファン７から吹き上げられた空気流Ａ１、Ａ２を整流していないため、空気流Ａ１、Ａ２同士が互いに流れを乱して澱みが生じ、排気効率の低下が起きてしまう虞もあった。
【０００８】
この結果、強制冷却を必要とする電子ユニット１の温度が上昇し、また、ファン７同士の相互干渉によってファン７が故障してしまう。
【０００９】
本発明は斯かる実情に鑑み案出されたもので、排気効率の向上とファンユニットのファン性能の低下防止を図った空気流偏向板ユニットを提供することを目的とする。
【課題を解決するための手段】
【００１０】
斯かる目的を達成するため、本発明は、前後２個のファンからなるユニットが横方向に複数列並んで配されたファンユニットの上方に重置され、ファンから吹き上げられた空気を背面側へ偏向させる偏向板が左右一対の側板間に前下がりに傾斜した状態で取り付き、前面に前面板が取り付いた空気流偏向板ユニットに於て、前記側板間に、第２の偏向板を前記偏向板から離間させて下方に取り付け、当該第２の偏向板と前記偏向板との間に、ファンユニットの前面側のファンの上部が空気流入口として開口する空気通路を設けると共に、前記第２の偏向板に、ルーバー穴をファンユニットの前面側のファンと背面側のファンとの間に設けたことを特徴とする。
【発明の効果】
【００１１】
本発明によれば、ファンユニットのファンによって吹き上げられた空気流を整流することが可能となり、この結果、従来に比し、ファンの風量が増加して強制冷却能力を向上させることができるため、効率よく電子ユニットの発熱部品の温度上昇を抑え、電子回路装置の高密度実装化が可能になると共に、部品の破損、電気特性の劣化を防止することができる。
【００１２】
また、整流効果により、ファンユニットの隣接した複数のから吹き上げられた空気流同士の干渉が避けられるため、ファンの故障が低減する。
【図面の簡単な説明】
【００１３】
【図１】ファンユニットの上方に重置された本発明の第一実施形態に係る空気流偏向板ユニットの全体斜視図である。
【図２】空気流偏向板ユニットの全体斜視図である。
【図３】ファンユニットと空気流偏向板ユニットの断面図である。
【図４】ファンユニットと本発明の第二実施形態に係る空気流偏向板ユニットの断面図である。
【図５】ファンユニットと本発明の第三実施形態に係る空気流偏向板ユニットの断面図である。
【図６】従来の空気流偏向板ユニットとファンユニットの断面図である。
【発明を実施するための形態】
【００１４】
以下、本発明の実施形態を図面に基づいて説明する。
【００１５】
図１乃至図３は本発明に係る空気流偏向板ユニットの第一実施形態を示し、図中、２１は左右一対の側板２３、２５間に前下がりに傾斜した状態で取り付く偏向板、２７は空気流偏向板ユニット２９の前面に取り付く前面板で、空気流偏向板ユニット２９は上面排気のファンユニット３１の上方に重置されている。尚、偏向板２１の後端側２１ａは断面略く字状に折曲されて、左右の側板２３、２５の上縁に沿った形状となっている。
【００１６】
図１に示すようにファンユニット３１は、前後２個のファン３３、３５からなるユニット３１ａ、３１ｂ、３１ｃが横方向に複数列（本実施形態では３列）並んで配された構造からなり、それぞれのファン３３、３５の回転によって下方の電子ユニット（図示せず）内から吸い込まれた空気が、空気流偏向板ユニット２９内に吹き上げられるようになっている。
【００１７】
既述した構成に加え、図２及び図３に示すように空気流偏向板ユニット２９内には、偏向板２１から離間してその下方に、第２の偏向板３７が偏向板２１に沿って側板２３、２５間に取り付けられており、当該偏向板３７と前記偏向板２１によって、ファンユニット３１の前面側のファン３３の上部が空気流入口３９ａとして開口する空気通路３９が設けられている。そして、空気通路３９の下流側は空気排気口３９ｂとして、空気流偏向板ユニット２９の背面側に開口している。
【００１８】
更に、図１乃至図３に示すように第２の偏向板３７には、前後２個のファン３３、３５からなる各ユニット３１ａ、３１ｂ、３１ｃ毎に、前面側のファン３３方向に断面略Ｊ字状にルーバー４１が切り起こされて突出するルーバー穴４３が、ファン３３方向に開口して設けられている。そして、前面板２７に、通風穴４５が各ユニット３１ａ、３１ｂ、３１ｃ毎に設けられており、図示しないがファンユニット３１の下方に強制冷却を必要とする複数の電子ユニットが多段に配置されて電子機器装置が構成されている。
【００１９】
本実施形態に係る空気流偏向板ユニット２９はこのように構成されているから、ファンユニット３１のファン３３、３５の回転によって下方の電子ユニット内から吸い込まれて空気流偏向板ユニット２９内に吹き上げられた空気が、２枚の偏向板２１、３７によって空気流偏向板ユニット２９の背面側へ偏向されるが、図３に示すように前面側のファン３３の上方に空気通路３９の空気流入口３９ａが開口し、また、ファン３３の回転によって、前面板２７に開口する通風穴４５から空気流Ａが空気流偏向板ユニット２９内に吸引されるため、ファン３３から吹き上げられた空気流Ａ３は、前面板２７側で澱むことなく空気流入口３９ａから空気通路３９内へスムーズに流入して偏向板３９に沿って流下する。
【００２０】
一方、ファン３３から吹き上げられた空気流Ａ４の流路中に、ファン３３方向にルーバー４１が突出したルーバー穴４３が開口しているため、空気流Ａ４の多くがルーバー穴４３から空気通路３９内に流入して偏向板３９に沿って流下する。
【００２１】
そして、ファンユニット３１の始動時に空気流Ａ４がルーバー穴４３から空気通路３９内に流入、流下すると、ルーバー穴４３と空気流入口３９ａとの間の空気通路３９（図３中、Ｘ部位）は気流が薄くなるため、空気通路３９中の空気流Ａ４に引っ張られて、空気流Ａ３がファン３３の始動時から空気流入口３９ａ内にスムーズに流入していくこととなる。
【００２２】
また、背面側のファン３５によって吹き上げられた空気流Ａ５の一部は、ルーバー穴４３から空気通路３９内に流入する空気流Ａ４に引っ張られて、空気流Ａ４と干渉することなくルーバー穴４３から空気通路３９内に流入すると共に、空気流Ａ５の残りは偏向板３７に沿って背面側へ偏向され、更に、ファン３５によって吹き上げられた空気流Ａ６は、偏向板３７に沿って背面側へ偏向されることとなる。
【００２３】
このように本実施形態は、ルーバー穴４３が開口する第２の偏向板３７を偏向板２１の下方に配置して偏向板２１、３７の間に空気通路３９を設けることで、ファン３３、３５によって吹き上げられた空気流Ａ３、Ａ４、Ａ５、Ａ６を整流することが可能となり、この結果、従来に比し、
[1]ファン３３、３５の風量が増加して強制冷却能力を向上させることができるため、効率よく電子ユニットの発熱部品の温度上昇を抑え、電子回路装置の高密度実装化が可能になると共に、部品の破損、電気特性の劣化を防止することができる。
【００２４】
また、整流効果により、
[2]ファンユニット３１の隣接した複数のファン３３、３５から吹き上げられた空気流Ａ３、Ａ４、Ａ５、Ａ６同士の干渉が避けられるため、ファン３３、３５の故障が低減する。
【００２５】
更に、本実施形態は、ファン３３方向にルーバー４１を突出させてファン３３方向にルーバー穴４３を開口させたため、
[3]ファン３３から吹き上げられた空気流Ａ４の多くを、スムーズにルーバー穴４３から空気通路３９内に流入させることができる利点を有する。
【００２６】
そして、本実施形態は、第２の偏向板３７を偏向板２１に沿って取り付けているため、
[4]空気通路３９の均一な流路面積を確保することが可能となって、スムーズな空気通路３９による排気が可能となる。
【００２７】
更に、本実施形態は、前後２個のファン３３、３５からなるユニット３１ａ、３１ｂ、３１ｃ毎に通風穴４５を設けているため、
[5]前面板２７側での空気流Ａ３の澱みを確実に防止でき、空気流Ａ３を空気流入口３９ａから空気通路３９内へスムーズに流入させることができる利点を有する。
【００２８】
更にまた、本実施形態では、ファンユニット３１の始動時に空気流Ａ４がルーバー穴４３から空気通路３９内に流入、流下すると、ルーバー穴４３と空気流入口３９ａとの間の空気通路３９（図３中、Ｘ部位）は気流が薄くなるため、
[6]空気通路３９中の空気流Ａ４に引っ張られて、空気流Ａ３がファン３３の始動時から空気流入口３９ａ内にスムーズに流入していく利点を有する。
【００２９】
図４は本発明の第二実施形態を示し、本実施形態に係る空気流偏向板ユニット２９-1は、前記ルーバー穴４３に代え、空気通路３９の下流方向に断面略Ｊ字状のルーバー４７を突出させて、空気通路３９の下流方向に開口するルーバー穴４９を設けたものである。尚、その他の構成は図１の実施形態と同様であるので、同一のものには同一符号を付してそれらの説明は省略する。
【００３０】
本実施形態に係る空気流偏向板ユニット２９はこのように構成されており、本実施形態によっても、前記第一実施形態と同様、ファン３３、３５によって吹き上げられた空気流Ａ３、Ａ４、Ａ５、Ａ６が整流されることとなる。
【００３１】
また、本実施形態では、空気通路３９を流下する空気流Ａ３がルーバー４７の球面形状形状に沿って流れることで当該部位に於ける空気流Ａ３の流速が速まるため、これに引っ張られて空気流Ａ４がルーバー穴４９からスムーズに空気通路３９内に流入すると共に、これに引っ張られて空気流Ａ５の一部が空気流Ａ４と干渉することなくルーバー穴４９から空気通路３９内に流入していくこととなる。
【００３２】
このように本実施形態によっても、前記実施形態と同様、前記[1]〜[5]の作用効果を奏することが可能である。
【００３３】
また、既述したように本実施形態は、空気通路３９を流下する空気流Ａ３がルーバー４７の球面形状形状に沿って流れることで、当該部位に於ける空気流Ａ３の流速が速まるため、
[7]空気流Ａ３に引っ張られて空気流Ａ４がルーバー穴４９からスムーズに空気通路３９内に流入すると共に、これに引っ張られて空気流Ａ５の一部が空気流Ａ４と干渉することなくルーバー穴４９からスムーズに空気通路３９内に流入していく利点を有する。
【００３４】
図５は本発明の第三実施形態を示し、本実施形態に係る空気流偏向板ユニット２９-2は、ファン３３方向に前記ルーバー４１を突出させると共に、空気通路３９の下流方向に前記ルーバー４７を突出させて、第２の偏向板３７に両ルーバー４１、４７を備えたルーバー穴５１を設けたもので、本実施形態によれば、既述した第一、第二実施形態の作用効果を合わせた効果を実現できる利点を有する。
【符号の説明】
【００３５】
２１  偏向板
２３、２５  側板
２７  前面板
２９、２９-1、２９-2  空気流偏向板ユニット
３１  ファンユニット
３１ａ、３１ｂ、３１ｃ  ユニット
３３、３５  ファン
３７  第２の偏向板
３９  空気通路
３９ａ  空気流入口
３９ｂ  空気排気口
４１、４７  ルーバー
４３、４９、５１  ルーバー穴
４５  通風穴
Ａ、Ａ３、Ａ４、Ａ５、Ａ６  空気流
【図１】
2012129455.tif 000003
【図２】
2012129455.tif 000004
【図３】
2012129455.tif 000005
【図４】
2012129455.tif 000006
【図５】
2012129455.tif 000007
【図６】
2012129455.tif 000008